(57)【要約】【課題】ディスク状記憶媒体に所望の画像全体を印刷する為の印刷データ生成装置を提供すること。【解決手段】記録媒体8における印刷可能領域内に、所望の画像を、当該所望の画像全体が含まれるように配置し、この配置した上記所望の画像を、上記記録媒体8における上記印刷可能領域内に印刷する為のデータである印刷データを生成するＣＰＵ4を具備する印刷データ生成装置。【選択図】      図１
2009159544.tif 000002
【特許請求の範囲】
【請求項１】
記憶媒体における印刷可能領域内に、所望の画像を、当該所望の画像全体が含まれるように配置する為の画像配置手段と、
上記画像配置手段によって配置された上記所望の画像を、上記記憶媒体における上記印刷可能領域内に印刷する為のデータである印刷データを生成する印刷データ生成手段と、
を具備することを特徴とする印刷データ生成装置。
【請求項２】
上記印刷データに基づいて上記所望の画像を上記記憶媒体における印刷可能領域内に印刷する外部印刷装置から、当該外部印刷装置が印刷可能な記憶媒体を示す記憶媒体情報、及び上記記憶媒体における上記印刷何能領域を示す印刷可能領域情報を取得する媒体情報取得手段と、
上記媒体情報取得手段によって取得した上記記憶媒体情報と上記印刷可能領域情報とを関連付けて記憶する取得情報記憶手段と、
を含み、
上記画像配置手段は、上記取得情報記憶手段の記憶する上記記憶媒体情報と上記印刷可能領域情報とに基づいて、上記画像の配置を行い、
上記印刷データ生成手段は、上記取得情報記憶手段の記憶する上記記憶媒体情報と上記印刷可能領域情報とに基づいて、上記印刷データの生成を行うことを特徴とする請求項１に記載の印刷データ生成装置。
【請求項３】
上記記憶媒体情報及び上記印刷可能領域情報を、作成及び／又は変更して記憶する印刷媒体情報設定手段と、
を含むことを特徴とする請求項２に記載の印刷データ生成装置。
【請求項４】
上記外部印刷装置が有する印刷機能を示す印刷機能情報を、上記外部印刷装置から取得する印刷機能取得手段を含み、
上記印刷データ生成手段は、上記印刷機能取得手段によって取得した上記印刷機能情報を参照して上記印刷データを生成することを特徴とする請求項１に記載の印刷データ生成装置。
【請求項５】
上記印刷データ生成手段は、上記外部印刷装置が所定の構造化言語による印刷機能を有している場合には、上記所定の構造化言語を用いて上記印刷データを生成し、上記外部印刷装置が上記所定の構造化言語による上記印刷機能を有していない場合には、画像形式で上記印刷データを生成することを特徴とする請求項４に記載の印刷データ生成装置。
【請求項６】
上記記憶媒体における上記印刷可能領域内に、上記所望の画像全体が含まれるように上記画像配置手段によって配置された上記所望の画像の再配置を行う画像再配置手段を含み、
上記印刷データ生成手段は、上記画像再配置手段によって再配置された上記所望の画像を上記記憶媒体の上記記憶可能領域に印刷する為の印刷データを生成することを特徴とする請求項１に記載の印刷データ生成装置。
【請求項７】
上記画像再配置手段は、上記記憶媒体の上記記憶可能領域における上記所望の画像の位置及び／又は大きさを変更することを特徴とする請求項６に記載の印刷データ生成装置。
【請求項８】
上記画像再配置手段は、上記所望の画像が複数存在する場合には、各々の画像が上記記憶媒体の上記印刷可能領域上において互いに重なり合わないように、各々の画像を配置することを特徴とする請求項１に記載の印刷データ生成装置。
【請求項９】
上記所望の画像及び上記記憶媒体における上記印刷可能領域を表示する表示手段を含むことを特徴とする請求項１乃至請求項８のうち何れか一つに記載の印刷データ生成装置。
【発明の詳細な説明】
【技術分野】
【０００１】
本発明は、印刷装置が画像を印刷する為の印刷データを生成する印刷データ生成装置に関する。
【背景技術】
【０００２】
近年プリンタにおいては、紙への印刷機能に加え、例えばＣＤやＤＶＤ等のディスク状の記憶媒体（以降、ディスク状記憶媒体と称する）ヘの直接印刷を行う機能を有する機種も普及し始めている。このようなプリンタによれば、ユーザーはディスク状記憶媒体に任意の画像を印刷することができる為、種々のデータ等を記録したＣＤやＤＶＤ等の整理・保管が容易になる。
【０００３】
ところで、ディスク状記憶媒体ヘの直接印刷を行う技術としては、例えば次のような技術が開示されている。
【０００４】
まず、特許文献１には、ディスク状記憶媒体のイメージを、撮影領域の画像に重畳させて表示手段に表示し、この表示を参照して印刷の為の位置合わせを撮影時に行う撮像装置が開示されている。
【０００５】
また、特許文献２には、画像情報をディスク状記憶媒体に記録し再生するＨＤＤレコーダにおいて、テレビに表示した画像情報上にディスク形状のカーソルを表示させ、該カーソルの位置が選択されると、上記カーソルの内側に存在する画像情報に基づいて、ディスク状記憶媒体に印刷する為の印刷データを作成する技術が開示されている。
【特許文献１】特開２００６−１４０７０８号公報
【特許文献２】特開２００６−０１８８５８号公報
【発明の開示】
【発明が解決しようとする課題】
【０００６】
ところが、特許文献１及び特許文献２に開示された技術のように、例えば円形のディスク状記憶媒体に矩形の画像を印刷する場合、ディスク状記憶媒体と画像との形状の不一致によって、当該画像の一部しかディスク状記憶媒体に印刷できない。
【０００７】
つまり、特許文献１及び特許文献２に開示された技術によれば、ユーザーが本来意図している画像全体を、ディスク状記憶媒体に印刷することができない。
【０００８】
本発明は、上記の事情に鑑みてなされたもので、ディスク状記憶媒体に、簡単にユーザの意図する印刷データを生成することを目的とする。
【課題を解決するための手段】
【０００９】
上記の目的を達成するために、本発明の第１の態様による印刷データ生成装置は、記憶媒体における印刷可能領域内に、所望の画像を、当該所望の画像全体が含まれるように配置する為の画像配置手段と、上記画像配置手段によって配置された上記所望の画像を、上記記憶媒体における上記印刷可能領域内に印刷する為のデータである印刷データを生成する印刷データ生成手段と、を具備することを特徴とする。
【発明の効果】
【００１０】
本発明によれば、ディスク状記憶媒体に、簡単にユーザの意図する印刷データを生成する印刷データ生成装置を提供することができる。
【発明を実施するための最良の形態】
【００１１】
以下、本発明の一実施形態に係る印刷データ生成装置の一例である電子カメラについて、図面を参照して説明する。
【００１２】
図１は本一実施形態に係る電子カメラの構成を示すブロック図である。図１に示すように、電子カメラ１は、撮像部２と、記録媒体インタフェース３と、ＣＰＵ４と、通信インタフェース５と、操作部６と、表示部７と、フラッシュメモリ９とを具備する。
【００１３】
なお、ＣＰＵ４は、画像配置手段、画像再配置手段、印刷データ生成手段、印刷機能取得手段、媒体情報取得手段として機能する。
【００１４】
上記撮像部２は、被写体を撮影して撮像信号を生成するとともに、種々の画像処理を行って画像データを所望の画像データとして作成する。上記撮像部２により作成された画像データは、上記記録媒体インタフェース３を介して記録媒体８に記録される。この記録媒体８としては、例えば当該電子カメラ１に着脱可能なフラッシュメモリや、当該電子カメラ１に設けられたハードディスク等を挙げることができる。記録媒体８は、取得情報記憶手段としても機能する。
【００１５】
上記ＣＰＵ４は、上記フラッシュメモリ９に記録されている制御プログラムを読み出し実行することにより、当該電子カメラ１各部の動作を統括的に制御する。
【００１６】
上記通信インタフェース５は、通信線１０を介して、例えばＰＣ（不図示）、プリンタ（不図示）、又は外部記憶装置（不図示）等の外部機器との間で、撮影により取得した画像データ等のデータ授受を行う為のインタフェースである。
【００１７】
上記操作部６は、ユーザーが当該電子カメラ１に対し動作に関する指示を入力する為の操作スイッチ等を有する。
【００１８】
表示手段である上記表示部７は、上記記録媒体インタフェース３を介し上記記録媒体８から読み出した画像データ又はユーザーインターフェース画面データ等を表示する。
【００１９】
上記通信線１０は、広義で情報の送受信（通信）に用いられる経路である。なお、この通信には、有線通信及び無線通信が含まれる。
【００２０】
図２は、上記電子カメラ１のうち撮影時にユーザーに対向する面を示す外観概略図である。図２に示すように、撮影時にユーザーに対向する面は、操作部６と、表示部７とを具備する。
【００２１】
上記操作部６は、シャッターボタン１００と、ズームボタン１０１と、再生ボタン１０２と、ＯＫボタン１０３と、十字ボタン１０４と、メニューボタン１０５とを有する。以下、これらボタンについてそれぞれ説明する。
【００２２】
被写体の撮影を行う撮影モードにおいて、ユーザーは、上記ズームボタン１０１等を用いて被写体をフレーミングする。そして、ユーザーは、上記シャッターボタン１００を押下操作して撮影を行う。この撮影により取得した画像は、上記記録媒体８に記録される。
【００２３】
ユーザーが上記再生ボタン１０２を押下操作すると、過去に撮影により取得した画像データを再生表示する再生モードに移行する。この再生モードにおいては、上記記録媒体８に記録されている画像データが上記表示部７に再生表示される。
【００２４】
ユーザーは、上記再生表示中に、上記ズームボタン１０１を操作することにより、上記表示部７に再生表示されている画像の拡大・縮小表示を行うことができる。
【００２５】
また、上記記録媒体８に記録されている画像データが複数ある場合には、ユーザーは上記十字ボタン１０４を操作することにより、上記表示部７に再生表示されている画像の切替えを行うことができる。
【００２６】
そして、ユーザーが上記メニューボタン１０５を操作すると、種々の設定等を行う為のメニュー画面が上記表示部７に表示される。ユーザーが、このメニュー画面の表示を参照して上記十字ボタン１０４を操作することで所定の項目の選択を行い、更に上記ＯＫボタン１０３を押下操作することにより、メニュー画面における各項目に割り当てられた処理のうちユーザー所望の処理が実行される。
【００２７】
なお、以上説明したボタンだけでなく、本一実施形態に係る電子カメラを逸脱しない範囲で、上記ボタン以外のボタンを適宜追加して設けても勿論良い。
【００２８】
以下、例えばＣＤやＤＶＤ等のディスク状記憶媒体に、所望の画像を、当該所望の画像全体を含むように印刷する為の実際の画像配置例を説明する。図３（ａ）乃至（ｅ）は、ディスク状記憶媒体上における画像の配置（印刷する際の画像の配置）の一例を説明する為の図である。
【００２９】
図３（ａ）は、再生モード時における上記表示部７に示される表示の一例を示す図である。すなわち、再生モード時においては、上記ＣＰＵ４の制御により、上記記録媒体８に記録されている画像データが上記表示部７に再生表示される。
【００３０】
ここで、ユーザーにより上記メニューボタン１０５、上記十字ボタン１０４、及び上記ＯＫボタン１０３が操作され、“ＣＤ／ＤＶＤラベル印刷”項目が選択されると、当該電子カメラ１は、上記ＣＰＵ４により、ディスク状記憶媒体に画像を配置する“画像配置モード”に設定される。
【００３１】
図３（ｂ）は、画像配置モード時における上記表示部７の表示の一例を示す図である。すなわち、例えば図３（ｂ）に示すように、上記ＣＰＵ４は、ディスク形状記憶媒体の形状と相似形の図形（すなわち印刷可能領域である。以降、ディスク形状図形と称する）３１を上記表示部７に表示させると共に、再生モード時に表示していた画像全体を、上記ディスク形状図形３１（図３（ｂ）の斜線のハッチングを付した領域）内に収めるように縮小して上記表示部７に表示させる。以降、この表示を画像全体表示３３と称する。
【００３２】
この図３（ｂ）に示す状態で、ユーザーにより上記十字ボタン１０４が操作されると、該操作に応じて、上記ＣＰＵ４は、上記画像全体表示３３を、ディスク形状図形３１上における任意の配置位置（図３（ｃ）に示す例では配置位置３０１乃至配置位置３０４）に移動させ再配置する。なお、図３（ｃ）に示す配置位置はあくまでも一例であり、位置及び個数共に同図に示す例に限られることは無い。
【００３３】
図３（ｄ）は、図３（ｃ）に示す状態において、ユーザーにより上記十字ボタン１０４における“下ボタン”が押下操作され、上記ＣＰＵ４が、上記配置位置３０４に上記画像全体表示３３を配置した場合の表示を示す図である。
【００３４】
図３（ｅ）は、図３（ｃ）に示す状態において、ユーザーにより上記十字ボタン１０４における“左ボタン”が押下操作され、上記ＣＰＵ４が、上記配置位置３０２に上記画像全体表示３３を配置した場合の表示を示す図である。
【００３５】
なお、上述したように、上記画像全体表示３３をユーザー所望の配置位置へ移動する場合、上記ＣＰＵ４は、当該画像全体表示３３の大きさを、ディスク形状図形３１内に収まるように拡大又は縮小処理する。
【００３６】
本一実施形態に係る印刷データ生成装置では、上記ＣＰＵ４が上記フラッシュメモリ９に記録されている画像配置の為の制御プログラムを読み出し実行することにより、上述した印刷レイアウト（印刷画像配置情報）を作成する。
【００３７】
以下、この印刷レイアウトに基づいて、外部印刷装置（以降、プリンタと称する）に送信する印刷データを作成（生成）する処理について説明する。
【００３８】
まず、上述した処理により得られた印刷レイアウトにおいて、ＣＰＵ４は、図６（ａ）に示す上記ディスク形状図形３１に外接する矩形３５の内側を印刷範囲として設定し、且つこの矩形３５以外の領域には印刷を上記プリンタに行わせないＸＨＴＭＬ−Ｐｒｉｎｔ文書を作成して上記記録媒体８に記録する。ここで、ＸＨＴＭＬ−Ｐｒｉｎｔ文書は、プリンタに印刷指示を行うためのマークアップ言語（構造化言語）である。
【００３９】
図４は、このＸＨＴＭＬ−Ｐｒｉｎｔ文書による印刷データの一例を示す図である。
【００４０】
ここで、ｓｔｙｌｅ要素は印刷形式を指定し、ｂｏｄｙ要素は実際に印刷する画像等を指定している。図４に示す例では、ｓｔｙｌｅ要素の“＠ｍｅｄｉａ  ｐｒｉｎｔ”では、１２０ｍｍ角（ｓｉｚｅ：１２０ｍｍ，１２０ｍｍ）の用紙で、印刷マージン０ｍｍ（ｍａｒｇｉｎ：０ｍｍ）を指定している。すなわち、１２ｃｍＣＤ／ＤＶＤディスクラベルに、印刷マージン０ｍｍで印刷するという指定を行っている。
【００４１】
また、“．ｃｄｌａｂｅｌ”では、上記用紙の印刷領域を指定している。すなわち、上記用紙左上を原点（ｐｏｓｉｔｉｏｎ：ａｂｓｏｌｕｔｅ）として、ｔｏｐ：０ｍｍ、ｌｅｆｔ：０ｍｍの位置に、１２０ｍｍ角の矩形（ｗｉｄｔｈ：１２０ｍｍ；  ｈｅｉｇｈｔ：１２０ｍｍ；）を印刷領域とするということを指定している。
【００４２】
さらに、“ｏｖｅｒｆｌｏｗ：ｈｉｄｄｅｎ”では、上記矩形をはみ出した部分は、印刷又は表示をしないという指定を行っている。また、“．ｐｉｃｔｕｒｅ”では、印刷する画像の位置及びサイズを指定しており、上記用紙左上を原点とするｔｏｐ：１０ｍｍ、ｌｅｆｔ：４０ｍｍの位置に、４０ｍｍ×３０ｍｍのサイズの画像が配置されることを指定している。
【００４３】
そして、ｂｏｄｙ要素は、上記“．ｃｄｌａｂｅｌ”で指定している印刷領域に、画像：ＩＭＧ００００１．ＪＰＧを、上記“．ｐｉｃｔｕｒｅ”で指定している位置及びサイズで配置することを指定している。
【００４４】
図５は、図４を参照して説明したＸＨＴＭＬ−Ｐｒｉｎｔ文書に基づいて、１２ｃｍＣＤ／ＤＶＤディスクラベル上に印刷を行った場合の、画像の印刷位置及びサイズを示す図である。なお、同図において斜線のハッチングで示されている領域は印刷しない領域を示している。
【００４５】
上述した処理により作成した印刷データを、例えばプリンタやＰＣ等に転送することにより、ユーザー所望の画像をディスク状記憶媒体に印刷することが可能となる。
【００４６】
なお、印刷レイアウトに基づいて、プリンタに送信する印刷データを作成する処理については、上述した処理以外にも例えば次の様な処理を挙げることができる。
【００４７】
すなわち、まず上述した処理により得られた印刷画像配置情報において、上記ディスク形状図形３１に外接する矩形３５の内側を印刷範囲として設定する（図６（ａ）参照）。そして、上記矩形３５以外の領域は白色とする画像（図６（ｂ））を、画像形式の印刷データの一例であるＪＰＥＧ画像として新規に作成し上記記録媒体８に記録する。
【００４８】
このように画像を印刷する領域以外の領域を白色とするのは、実際に印刷を実行する際に、上記ディスク状記憶媒体の印刷面において、画像以外の領域に印刷を行わないようにする為である。
【００４９】
このような処理によって作成した印刷データによれば、上述したＸＨＴＭＬ−Ｐｒｉｎｔ文書による印刷機能を有していないプリンタ、例えばＰｉｃｔＢｒｉｄｇｅ（登録商標）の規格に準拠したフォトダイレクトプリンタによっても、本一実施形態を適用することで、ユーザー所望の画像をディスク状記憶媒体に印刷することが可能となる。なお、構造化言語による印刷に対応しているか否かといったプリンタの印刷機能情報は、通信インターフェース５を介してプリンタから取得する。
【００５０】
以下、本一実施形態に係る電子カメラのＣＰＵ４による印刷データの作成から送信までの処理を、図７に示すフローチャートを参照して説明する。
【００５１】
まず、上記記録媒体８に記録されている画像データを再生表示する再生モードにおいて、ユーザーによって、印刷に係る画像が選択され且つ印刷対象（印刷用紙）が選択される（ステップＳ１０）。
【００５２】
なお、この時点において、上記プリンタと当該電子カメラ１とが上記通信線１０及び上記通信インタフェース５を介して接続されているとする。
【００５３】
続いて、通信インターフェース５を介して上記プリンタに対してプリンタ能力問い合わせを行う（ステップＳ１１）。このプリンタ能力問い合わせにおいて取得することができるプリンタ能力としては、例えば印刷可能な画像フォーマット（ＪＰＥＧ、ＴＩＦＦ等）、印刷用紙種別（普通紙、フォトペーパー等）、及び印刷用紙サイズ（Ａ３、Ａ４、ＣＤ／ＤＶＤラベル等）等、を挙げることができ、プリンタが印刷可能な記憶媒体情報（ＣＤ／ＤＶＤラベル等）を取得するとともに、該記憶媒体の印刷可能領域情報を取得する。あわせて記憶媒体情報と該記憶媒体の印刷可能領域情報とが関連付られて記録媒体８に記録される。当該電子カメラ１は、これらのプリンタ能力を取得することで、上記プリンタに対して適切な印刷要求を行うことができる。
【００５４】
なお、プリンタ能力の一つである上記印刷用紙サイズにおいて、例えば上記プリンタが“ＣＤ／ＤＶＤラベル”に対応している場合には、“ＣＤ／ＤＶＤラベル”を印刷用紙の選択肢に追加する。また、“ＣＤ／ＤＶＤラベル”が選択された場合、ＣＰＵ４により記録媒体８に記録された印刷可能領域情報が呼び出される。
【００５５】
なお、記憶媒体情報と印刷可能領域情報は、印刷媒体設定手段の一例である操作部６を使用してユーザが新規に入力し、または、元の情報を変更し、記録媒体８に記録することも可能である。
【００５６】
ここで、ユーザーによって印刷用紙の選択が行われる（ステップＳ１２）。続いて、このステップＳ１２において、ユーザーによって上記“ＣＤ／ＤＶＤラベル”が選択されたか否かを判断する（ステップＳ１３）。このステップＳ１３をＮＯに分岐する場合は、ユーザーの操作に基づいて通常の印刷データ作成処理を行い（ステップＳ２２）、後述するステップＳ２０へ移行する。なお、ディスク状記憶媒体以外の印刷用紙へ印刷する為の印刷データ作成は、本一実施形態に係る電子カメラの特徴部ではないので、詳細な説明は省略する。
【００５７】
一方、上記ステップＳ１３をＹＥＳに分岐する場合は、上述した画像配置の処理を起動し、上記ステップＳ１０において選択された画像について画像配置の処理を行う（ステップＳ１４）。詳細には、このステップＳ１４における処理は画像の初期配置の処理であるので、例えば図３（ｂ）に示すように、上記配置位置３０１乃至上記配置位置３０４のうち何れか所定の配置位置に画像を配置する。
【００５８】
続いて、ユーザーによって画像の配置位置を変更する操作が行われたか否かを判断する（ステップＳ１５）。このステップＳ１５をＹＥＳに分岐する場合、ユーザーによる上記操作部６の操作に基づいて当該画像の配置位置の変更処理及び拡大・縮小処理を行う（ステップＳ１６）。その後、上記ステップＳ１５へ戻る。
【００５９】
上記ステップＳ１５をＮＯに分岐する場合、ユーザーによって次の画像を選択する操作が為されたか否かを判断する（ステップＳ１７）。このステップＳ１７をＹＥＳに分岐する場合、ユーザーによって次の画像が選択される（ステップＳ１８）。その後、上記ステップＳ１４へ戻る。このとき、複数の画像が配置される場合、ＣＰＵ４は、各々の画像が互いに重なり合わないように、各々の画像を配置する。
【００６０】
上記ステップＳ１７をＮＯに分岐する場合、上記ステップＳ１４乃至上記ステップＳ１８における処理で取得した印刷レイアウトに基づいて、上述したようにして印刷データを作成（生成）する（ステップＳ１９）。
【００６１】
そして、このステップＳ１９において作成した印刷データ、又は上記ステップＳ２２において作成した印刷データを、上記プリンタに送信し（ステップＳ２０）、上記プリンタによって上記印刷データに基づいた印刷処理が開始される（ステップＳ２１）。
【００６２】
なお、当該電子カメラ１と上記プリンタとが接続されていない状態であっても、上述したようにして作成した印刷データを、上記記録媒体８に記録しておくことにより、後に当該電子カメラ１と上記プリンタとを接続した際に、“プリンタ能力の問い合わせ”処理を行い、これにより取得した情報から、そのプリンタが“ＣＤ／ＤＶＤラベル”に対応しているか否かを判断し、対応していれば上記印刷データをそのプリンタに送信して印刷させることも可能である。
【００６３】
つまり、本一実施形態に係る電子カメラ１で作成した印刷データを、作成直後に上記プリンタへ送信しなくとも、上記記録媒体８へ記録しておくことで、ユーザー所望の時期に実際の印刷を行うことができる。
【００６４】
以上説明したように、本一実施形態によれば、ディスク状記憶媒体に所望の画像全体を印刷する為の印刷データを生成する印刷データ生成装置を提供することができる。
【００６５】
以上、一実施形態に基づいて本発明を説明したが、本発明は上述した実施形態に限定されるものではなく、本発明の要旨の範囲内で、種々の変形及び応用が可能なことは勿論である。
【００６６】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００６７】
【図１】本発明の一実施形態に係る電子カメラの構成を示すブロック図。
【図２】電子カメラのうち撮影時にユーザーに対向する面を示す外観概略図。
【図３】（ａ）は、再生モード時における表示部に示される表示の一例を示す図。（ｂ）は、“画像配置モード”時における表示部の表示の一例を示す図。（ｃ）は、画像の配置位置の一例を示す図。（ｄ）は、（ｃ）に示す状態において、ユーザーにより十字ボタンにおける“下ボタン”が押下操作された場合の表示を示す図。（ｅ）は、（ｃ）に示す状態において、ユーザーにより十字ボタンにおける“左ボタン”が押下操作された場合の表示を示す図。
【図４】ＸＨＴＭＬ−Ｐｒｉｎｔ文書の一例を示す図。
【図５】図４に示すＸＨＴＭＬ−Ｐｒｉｎｔ文書に基づいて、１２ｃｍＣＤ／ＤＶＤディスクラベル上に印刷を行った場合の、画像の印刷位置及びサイズを示す図。
【図６】（ａ）は、ディスク形状図形に外接する矩形の内側を印刷範囲として設定する様子を示す図。（ｂ）は、矩形以外の領域を白色として設定する様子を示す図。
【図７】本発明の一実施形態に係る電子カメラのＣＰＵによる印刷データの作成・送信処理を示すフローチャート。
【符号の説明】
【００６８】
１…電子カメラ、  ２…撮像部、  ３…記録媒体インタフェース、  ４…ＣＰＵ、  ５…通信インタフェース、  ６…操作部、  ７…表示部、  ８…記録媒体、  ９…フラッシュメモリ、  １０…通信線、  ３１…ディスク形状図形、  ３３…画像全体表示、  ３５…矩形、  １００…シャッターボタン、  １０１…ズームボタン、  １０２…再生ボタン、  １０３…ＯＫボタン、  １０４…十字ボタン、  １０５…メニューボタン、  ３０１…配置位置、  ３０２…配置位置、  ３０４…配置位置。
【図１】
2009159544.tif 000003
【図２】
2009159544.tif 000004
【図３】
2009159544.tif 000005
【図４】
2009159544.tif 000006
【図５】
2009159544.tif 000007
【図６】
2009159544.tif 000008
【図７】
2009159544.tif 000009